(57)【要約】【課題】空調用空気を操作ノブの操作方向と同一傾向の方向へ吹き出させて使用感を向上させる。【解決手段】長方形状の吹出口２０は、一対の短辺部と一対の長辺部２２とからなる。リテーナ１０の下流端部の上下には、互いに対向し、かつ下流側ほど間隔が狭くなって両長辺部２２に繋がる一対の傾斜面２６，２８が形成される。両傾斜面２６，２８よりも上流のバレルフィン５０に沿って流れてリテーナ１０の内壁面に当たることで流れ方向を変えられた空調用空気Ａ１は、一方の傾斜面２６（２８）に沿って流れて吹出口２０から斜め方向へ吹き出される。吹出口２０に配置された操作ノブ６０とバレルフィン５０の上流フィン５１との間には、操作ノブ６０の操作方向とは反対傾向の方向へバレルフィン５０が傾動するように、操作ノブ６０の動きを上流フィン５１に伝達する伝達機構ＤＭが設けられる。【選択図】図９
2019038407.tif 000002
【特許請求の範囲】
【請求項１】
空調用空気の流れ方向の下流端に吹出口を有する通風路が形成されたリテーナを備え、
前記吹出口は、相対向する一対の短辺部と、両短辺部に対し交差した状態で相対向する一対の長辺部とからなる長方形状をなし、
前記流れ方向における前記リテーナの下流端部には、互いに対向し、かつ下流側ほど間隔が狭くなって両長辺部に繋がる一対の傾斜面が形成され、
前記流れ方向における両傾斜面よりも上流には、前記長辺部に沿って延びる板状のフィンが配置され、前記長辺部に沿う方向へ延びるフィン軸により前記フィンが前記リテーナに傾動可能に支持され、
前記フィンに沿って流れて前記リテーナの内壁面に当たることで流れ方向を変えられた空調用空気が、一方の前記傾斜面に沿って流れて前記吹出口から斜め方向へ吹き出される空調用薄型レジスタであって、
前記流れ方向における前記リテーナの下流部には、操作ノブが前記短辺部に沿う方向へ操作可能に設けられ、前記操作ノブと前記フィンとの間には、同操作ノブの操作方向とは反対傾向の方向へ前記フィンが傾動するように、同操作ノブの動きを前記フィンに伝達する伝達機構が設けられている空調用薄型レジスタ。
【請求項２】
前記操作ノブは前記吹出口に配置され、
前記伝達機構は、
前記流れ方向における前記操作ノブの上流部に設けられ、かつ前記短辺部に沿って複数の歯が配列された駆動ギヤと、
前記流れ方向における前記フィンの下流部に設けられ、かつ前記フィン軸を中心とする円弧に沿って複数の歯が配列された従動ギヤと、
前記駆動ギヤ及び前記従動ギヤの間に介在された複数の中間ギヤと
を備える請求項１に記載の空調用薄型レジスタ。
【請求項３】
前記フィンを上流フィンとし、前記フィン軸を上流フィン軸とした場合、
前記流れ方向における前記上流フィンよりも下流には、前記短辺部に沿って延びる板状の下流フィンが配置され、
前記下流フィンは、前記短辺部に沿う方向へ延びる下流フィン軸により前記リテーナに傾動可能に支持され、
前記操作ノブは、前記下流フィンに対し、前記短辺部に沿う方向へ操作可能に装着され、
複数の前記中間ギヤは、前記下流フィンに装着されている請求項２に記載の空調用薄型レジスタ。
【請求項４】
前記下流フィンは、前記流れ方向における下流端部に、前記短辺部に沿う方向へ延びる下流レール部を有しており、
前記操作ノブは、前記短辺部に沿う方向へ延びる溝部を有しており、前記溝部において前記下流レール部に係合されることで、前記下流フィンに装着されている請求項３に記載の空調用薄型レジスタ。
【請求項５】
前記下流フィンは、前記流れ方向における上流端部に、前記短辺部に沿う方向へ延びる上流レール部を有しており、
複数の前記中間ギヤは、
前記従動ギヤに噛合された状態で前記上流レール部に対し、前記短辺部に沿う方向へスライド可能に装着された上流中間ギヤと、
前記駆動ギヤ及び前記上流中間ギヤに噛合された状態で、中間軸により前記下流フィンに対し回動可能に支持された下流中間ギヤと
を備える請求項４に記載の空調用薄型レジスタ。
【請求項６】
前記中間軸は、前記上流レール部と前記下流レール部との間において、前記下流フィンから、前記長辺部に沿う方向における両側へ突出しており、
前記下流中間ギヤは、前記長辺部に沿う方向における前記下流フィンの両側に配置されて、前記中間軸により前記下流フィンに回動可能に支持されている請求項５に記載の空調用薄型レジスタ。
【請求項７】
前記上流フィンは、バレルフィンの一部を構成するものであり、
前記バレルフィンでは、前記上流フィンが、前記短辺部に沿う方向に互いに離間した複数箇所に配置され、
複数の前記上流フィンのうちの１つが前記従動ギヤを有しており、
複数の前記上流フィンの前記長辺部に沿う方向の両端部が、前記短辺部に沿う方向へ延びる側板部により連結され、
前記バレルフィンは、各側板部に設けられた前記上流フィン軸により前記リテーナに傾動可能に支持されている請求項３〜６のいずれか１項に記載の空調用薄型レジスタ。
【請求項８】
前記従動ギヤにおける複数の歯は、前記長辺部に沿う方向へ延びており、
前記上流中間ギヤは、前記短辺部に沿う方向に配列され、かつ前記下流フィン軸を中心とする円弧に沿う方向へ延びる複数の歯を有している請求項５又は６に記載の空調用薄型レジスタ。
【発明の詳細な説明】
【技術分野】
【０００１】
本発明は、長方形状の吹出口を有し、かつ空調装置から送られてきて吹出口から吹き出す空調用空気の向きをフィンにより変更等する空調用薄型レジスタに関する。
【背景技術】
【０００２】
車両のインストルメントパネルには、空調装置から送られてきて吹出口から車室内に吹き出す空調用空気の向きを変更等するための空調用レジスタが組込まれている。この空調用レジスタの一形態として、縦方向と横方向とで吹出口の寸法が大きく異なるタイプ、例えば、横方向の寸法が縦方向の寸法よりも大きな吹出口を有する薄型の空調用レジスタ（以下「空調用薄型レジスタ」という）が従来から種々考えられている。
【０００３】
この空調用薄型レジスタの一態様として、例えば、特許文献１及び特許文献２に記載されたものは、リテーナ、フィン及び操作ノブを備える。リテーナは、空調用空気の通風路を有する。通風路は、空調用空気の流れ方向の下流端に吹出口を有する。吹出口は、相対向する一対の短辺部と、両短辺部に対し交差した状態で相対向する一対の長辺部とからなり、長方形状をなす。リテーナは、上記流れ方向における下流端部に、互いに対向し、かつ下流側ほど間隔が狭くなって両長辺部に繋がる一対の傾斜面を有する。フィンは、上記長辺部に沿って延びる板状をなし、上記流れ方向における両傾斜面よりも上流に配置される。フィンは、上記長辺部に沿う方向へ延びるフィン軸により、リテーナに傾動可能に支持される。操作ノブは、上記流れ方向におけるリテーナの下流部に配置される。
【０００４】
上記構成を有する空調用薄型レジスタでは、操作ノブが操作されて、フィンがリテーナの内壁面に対し傾斜させられると、空調装置から送られてきた空調用空気が、フィンに沿って流れることで上記内壁面に当たって流れ方向を変える。この空調用空気は、一方の傾斜面に沿って流れることで吹出口から斜め方向へ吹き出される。
【先行技術文献】
【特許文献】
【０００５】
【特許文献１】特開２０１６−１３７５８号公報
【特許文献２】特開２０１４−９１３７６号公報
【発明の概要】
【発明が解決しようとする課題】
【０００６】
ところが、上記特許文献１及び特許文献２に記載された空調用薄型レジスタでは、操作ノブを操作してフィンを傾動させた場合、吹出口から空調用空気が、操作ノブを操作した方向とは反対傾向の方向へ吹き出されるおそれがある。例えば、操作ノブが上下方向へ操作されるものである場合、操作ノブを上方へ操作すると、空調用空気が吹出口から斜め下方へ吹き出されるおそれがある。これとは逆に、操作ノブを下方へ操作すると、空調用空気が吹出口から斜め上方へ吹き出されるおそれがある。このように、操作ノブの操作方向とは反対傾向の方向へ空調用空気が吹き出されると、操作ノブを操作した乗員に違和感を与え、使用感を低下させる。
【０００７】
本発明は、このような実情に鑑みてなされたものであって、その目的は、空調用空気を操作ノブの操作方向と同一傾向の方向へ吹き出させて使用感を向上させることのできる空調用薄型レジスタを提供することにある。
【課題を解決するための手段】
【０００８】
上記課題を解決する空調用薄型レジスタは、空調用空気の流れ方向の下流端に吹出口を有する通風路が形成されたリテーナを備え、前記吹出口は、相対向する一対の短辺部と、両短辺部に対し交差した状態で相対向する一対の長辺部とからなる長方形状をなし、前記流れ方向における前記リテーナの下流端部には、互いに対向し、かつ下流側ほど間隔が狭くなって両長辺部に繋がる一対の傾斜面が形成され、前記流れ方向における両傾斜面よりも上流には、前記長辺部に沿って延びる板状のフィンが配置され、前記長辺部に沿う方向へ延びるフィン軸により前記フィンが前記リテーナに傾動可能に支持され、前記フィンに沿って流れて前記リテーナの内壁面に当たることで流れ方向を変えられた空調用空気が、一方の前記傾斜面に沿って流れて前記吹出口から斜め方向へ吹き出される空調用薄型レジスタであって、前記流れ方向における前記リテーナの下流部には、操作ノブが前記短辺部に沿う方向へ操作可能に設けられ、前記操作ノブと前記フィンとの間には、同操作ノブの操作方向とは反対傾向の方向へ前記フィンが傾動するように、同操作ノブの動きを前記フィンに伝達する伝達機構が設けられている。
【０００９】
上記の構成によれば、操作ノブに対し、これを吹出口の短辺部に沿う方向へ移動させる操作がなされると、その操作ノブの動きは、伝達機構を介してフィンに伝達される。この伝達により、フィンは、操作ノブの操作方向とは反対傾向の方向へ傾動させられる。このフィンに沿って流れ、リテーナの内壁面に当たって流れ方向を変えられた空調用空気は、最寄りの傾斜面に沿って流れた後に、吹出口から、フィンに沿う方向とは反対傾向の方向である斜め方向へ吹き出される。この吹き出し方向は、短辺部に沿う方向のうち、操作ノブを操作した方向と同一傾向の方向である。
【００１０】
上記空調用薄型レジスタにおいて、前記操作ノブは前記吹出口に配置され、前記伝達機構は、前記流れ方向における前記操作ノブの上流部に設けられ、かつ前記短辺部に沿って複数の歯が配列された駆動ギヤと、前記流れ方向における前記フィンの下流部に設けられ、かつ前記フィン軸を中心とする円弧に沿って複数の歯が配列された従動ギヤと、前記駆動ギヤ及び前記従動ギヤの間に介在された複数の中間ギヤとを備えることが好ましい。
【００１１】
上記の構成によれば、操作ノブに対し、これを吹出口の短辺部に沿う方向へ移動させる操作がなされると、駆動ギヤにおける複数の歯が同方向へ移動する。この移動は、複数の中間ギヤを介して従動ギヤに伝達される。従動ギヤにおける複数の歯が、フィンのフィン軸を中心とする円弧に沿って移動することで、フィンがフィン軸を支点として、操作ノブの操作方向とは、反対傾向の方向へ傾動する。
【００１２】
上記空調用薄型レジスタにおいて、前記フィンを上流フィンとし、前記フィン軸を上流フィン軸とした場合、前記流れ方向における前記上流フィンよりも下流には、前記短辺部に沿って延びる板状の下流フィンが配置され、前記下流フィンは、前記短辺部に沿う方向へ延びる下流フィン軸により前記リテーナに傾動可能に支持され、前記操作ノブは、前記下流フィンに対し、前記短辺部に沿う方向へ操作可能に装着され、複数の前記中間ギヤは、前記下流フィンに装着されていることが好ましい。
【００１３】
上記の構成によれば、下流フィンに装着された操作ノブに対し、これを吹出口の短辺部に沿う方向へ移動させる操作がなされると、同操作ノブが駆動ギヤを伴って同方向へ移動する。駆動ギヤの上記動きは、中間ギヤを介して従動ギヤに伝達され、上流フィンが上流フィン軸を支点として傾動させられる。
【００１４】
一方、操作ノブに対し、これを吹出口の長辺部に沿う方向へ移動させる操作がなされると、下流フィンが、これに装着された中間ギヤを伴って、下流フィン軸を支点として傾動させられる。
【００１５】
上記空調用薄型レジスタにおいて、前記下流フィンは、前記流れ方向における下流端部に、前記短辺部に沿う方向へ延びる下流レール部を有しており、前記操作ノブは、前記短辺部に沿う方向へ延びる溝部を有しており、前記溝部において前記下流レール部に係合されることで、前記下流フィンに装着されていることが好ましい。
【００１６】
上記の構成によれば、自身の溝部において、下流フィンの下流端部における下流レール部に係合された操作ノブに対し、これを吹出口の短辺部に沿う方向へ移動させる操作がなされると、同操作ノブが下流レール部に沿って同方向へスライドさせられる。
【００１７】
上記空調用薄型レジスタにおいて、前記下流フィンは、前記流れ方向における上流端部に、前記短辺部に沿う方向へ延びる上流レール部を有しており、複数の前記中間ギヤは、前記従動ギヤに噛合された状態で前記上流レール部に対し、前記短辺部に沿う方向へスライド可能に装着された上流中間ギヤと、前記駆動ギヤ及び前記上流中間ギヤに噛合された状態で、中間軸により前記下流フィンに対し回動可能に支持された下流中間ギヤとを備えることが好ましい。
【００１８】
上記の構成によれば、操作ノブに対し、これを吹出口の短辺部に沿う方向へ移動させる操作がなされて、駆動ギヤが下流レール部に沿って同方向へスライドさせられると、その駆動ギヤの動きは、下流中間ギヤに伝達される。駆動ギヤと下流中間ギヤとの噛み合い位置が変化し、下流中間ギヤが中間軸を支点として回動させられる。下流中間ギヤの回動は、上流中間ギヤに伝達される。下流中間ギヤと上流中間ギヤとの噛み合い位置が変化し、同上流中間ギヤが、下流フィンの上流端部における上流レール部に沿って、吹出口の短辺部に沿う方向へスライドさせられる。このスライドに伴い、上流中間ギヤと従動ギヤとの噛み合い位置が変化し、従動ギヤにおける複数の歯が、上流フィンの上流フィン軸を中心とする円弧に沿って移動する。上流フィンが上流フィン軸を支点として、操作ノブの操作方向とは反対傾向の方向へ傾動させられる。
【００１９】
上記空調用薄型レジスタにおいて、前記中間軸は、前記上流レール部と前記下流レール部との間において、前記下流フィンから、前記長辺部に沿う方向における両側へ突出しており、前記下流中間ギヤは、前記長辺部に沿う方向における前記下流フィンの両側に配置されて、前記中間軸により前記下流フィンに回動可能に支持されていることが好ましい。
【００２０】
上記の構成によれば、操作ノブに対し、これを吹出口の短辺部に沿う方向へ移動させる操作がなされて、駆動ギヤが同方向へスライドさせられると、その駆動ギヤの動きは、長辺部に沿う方向における下流フィンの両側の下流中間ギヤに伝達される。駆動ギヤと、各下流中間ギヤとの噛み合い位置が変化し、各下流中間ギヤが、下流フィンから、長辺部に沿う方向における両側へ突出する中間軸を支点として回動させられる。各下流中間ギヤの回動は、上流中間ギヤに伝達される。各下流中間ギヤと上流中間ギヤとの噛み合い位置が変化し、同上流中間ギヤが、下流フィンの上流端部の上流レール部に沿って、吹出口の短辺部に沿う方向へスライドさせられる。
【００２１】
このように、下流中間ギヤと中間軸との組み合わせが一対用いられ、しかも、その組み合わせが長辺部に沿う方向における下流フィンの両側に配置されるため、駆動ギヤから上流中間ギヤへの動力伝達が安定して行われる。
【００２２】
上記空調用薄型レジスタにおいて、前記上流フィンは、バレルフィンの一部を構成するものであり、前記バレルフィンでは、前記上流フィンが、前記短辺部に沿う方向に互いに離間した複数箇所に配置され、複数の前記上流フィンのうちの１つが前記従動ギヤを有しており、複数の前記上流フィンの前記長辺部に沿う方向の両端部が、前記短辺部に沿う方向へ延びる側板部により連結され、前記バレルフィンは、各側板部に設けられた前記上流フィン軸により前記リテーナに傾動可能に支持されていることが好ましい。
【００２３】
上記の構成によれば、操作ノブの動きが、駆動ギヤ、中間ギヤ及び従動ギヤを介して上流フィンに伝達されると、バレルフィンが一対の上流フィン軸を支点として傾動する。バレルフィンの上記傾動に伴い、複数の上流フィンの傾きが同期した状態で変化する。
【００２４】
上記空調用薄型レジスタにおいて、前記従動ギヤにおける複数の歯は、前記長辺部に沿う方向へ延びており、前記上流中間ギヤは、前記短辺部に沿う方向に配列され、かつ前記下流フィン軸を中心とする円弧に沿う方向に延びる複数の歯を有していることが好ましい。
【００２５】
上記の構成によれば、操作ノブに対し、これを吹出口の長辺部に沿う方向へ移動させる操作がなされると、下流フィンが、中間ギヤを伴って、下流フィン軸を支点として傾動させられる。このとき、上流中間ギヤにおける複数の歯のうち、従動ギヤにおける歯に噛み合ったものは、その従動ギヤの歯に対し、下流フィン軸を中心とする円弧に沿う方向へ摺動する。この摺動により、上流中間ギヤの歯と、従動ギヤの歯との長辺部に沿う方向の噛み合い位置が変化する。そのため、操作ノブの操作に伴う、下流フィン軸を支点とする下流フィンの傾動は、上流フィンには伝達されない。長辺部に沿う方向における操作ノブの操作に拘わらず、上流フィンの傾きは変化しない。
【発明の効果】
【００２６】
上記空調用薄型レジスタによれば、空調用空気を操作ノブの操作方向と同一傾向の方向へ吹き出させて使用感を向上させることができる。
【図面の簡単な説明】
【００２７】
【図１】一実施形態における空調用薄型レジスタの斜視図。
【図２】一実施形態における空調用薄型レジスタの主要な構成部品を示す分解斜視図。
【図３】一実施形態における空調用薄型レジスタの構成部品の一部を示す分解斜視図。
【図４】一実施形態における空調用薄型レジスタの正面図。
【図５】一実施形態における空調用薄型レジスタの平面図。
【図６】図４における６−６線に沿った断面図。
【図７】図５における７−７線に沿った断面図。
【図８】図６の一部を拡大して示す部分平断面図。
【図９】（ａ）は図４における９ａ−９ａ線に沿った断面図、（ｂ），（ｃ）は図９（ａ）の中立状態から操作ノブが上方又は下方へ操作された場合の空調用薄型レジスタの内部の状態を示す側断面図。
【図１０】図６の中立状態から操作ノブが右方へ操作された場合の空調用薄型レジスタの内部の状態を示す平断面図。
【発明を実施するための形態】
【００２８】
以下、車両用の空調用薄型レジスタに具体化した一実施形態について、図面を参照して説明する。
なお、以下の記載においては、車両の進行方向（前進方向）を前方とし、後進方向を後方とし、高さ方向を上下方向として説明する。また、車幅方向（左右方向）については、車両を後方から見た場合を基準として方向を規定する。
【００２９】
車室内において、車両の前席（運転席及び助手席）の前方にはインストルメントパネルが設けられ、その左右方向における中央部、側部等には空調用薄型レジスタが組込まれている。この空調用薄型レジスタの主な機能は、一般的な非薄型の空調用レジスタと同様、空調装置から送られてきて車室内に吹き出す空調用空気の向きを変更すること等である。
【００３０】
図１及び図２に示すように、空調用薄型レジスタは、リテーナ１０、複数の下流フィン、バレルフィン５０、操作ノブ６０及び伝達機構ＤＭを備えている。次に、空調用薄型レジスタを構成する各部の構成について説明する。
【００３１】
＜リテーナ１０＞
リテーナ１０は、空調装置の通風ダクト（図示略）と、インストルメントパネルに設けられた開口（図示略）とを繋ぐためのものである。リテーナ１０の内部空間は、空調用空気Ａ１の流路（以下「通風路１６」という）を構成している。
【００３２】
ここで、空調用空気Ａ１の流れ方向に関し、空調装置に近い側を「上流」といい、同空調装置から遠い側を「下流」というものとする。
リテーナ１０は、上流リテーナ１１と、その上流リテーナ１１の下流側に隣接した状態で配置された下流リテーナ１４とを備えている。上流リテーナ１１及び下流リテーナ１４は、いずれも、上流端と下流端とが開放され、かつ左右方向の寸法が上下方向の寸法よりも大きな四角筒状をなしている。下流リテーナ１４は、自身の上下の上流端部に設けられた係止孔１５において、上記上流リテーナ１１の対応する箇所に設けられた係止突起１２（図５参照）に係止されることにより、同上流リテーナ１１に連結されている。
【００３３】
下流リテーナ１４の最下流部の外周部には、ベゼル１７が形成されている。ベゼル１７は、空調用薄型レジスタの意匠面を構成しており、横長長方形状の開口を有している。この開口は、通風路１６の下流端に位置し、空調用空気Ａ１の吹出口２０を構成している。吹出口２０は、一対の短辺部２１と、各短辺部２１よりも長い一対の長辺部２２とを備えている。両短辺部２１は、互いに平行に離間した状態で上下方向に延びている。両長辺部２２は、互いに平行に離間した状態で左右方向へ延びており、両短辺部２１に対し直交している。
【００３４】
上記通風路１６は、リテーナ１０の４つの壁部によって取り囲まれている。これらの４つの壁部は、左右方向に相対向する一対の側壁部２３と、互いに上下方向に相対向する上壁部２４及び底壁部２５とからなる。両側壁部２３は、互いに平行な状態又はそれに近い状態で左右方向に対向している。上壁部２４及び底壁部２５は、互いに平行な状態又はそれに近い状態で上下方向に対向している。
【００３５】
図７及び図９（ａ）に示すように、下流リテーナ１４における上壁部２４の下流端部には、下流側ほど低くなるように一定の角度で傾斜する平面からなる傾斜面２６が形成されている。傾斜面２６は、吹出口２０の上側の長辺部２２に繋がっている。下流リテーナ１４における底壁部２５の下流端部には、下流側ほど高くなるように一定の角度で傾斜する平面からなる傾斜面２８が形成されている。傾斜面２８は吹出口２０の下側の長辺部２２に繋がっている。上側の傾斜面２６と下側の傾斜面２８とが上記のように傾斜していることから、リテーナ１０の下流端部では、両傾斜面２６，２８の間隔が下流側ほど狭くなっている。
【００３６】
上壁部２４における傾斜面２６の上流近傍には、下面において開口する上凹部２７が形成されている。底壁部２５における傾斜面２８の上流近傍には、上面において開口する下凹部２９が形成されている。上凹部２７及び下凹部２９は、いずれも左右方向に細長い形状をなしている（図２参照）。
【００３７】
そして、上記上凹部２７及び下凹部２９には、軟質の樹脂材料によって形成された下流シム３１がそれぞれ、脱落を規制された状態で嵌合されている。各下流シム３１において、互いに左右方向に離間した複数箇所には、軸受孔３２が上下方向に貫通されている（図２参照）。
【００３８】
図２及び図６に示すように、上流リテーナ１１における左右の両側壁部２３であって、上記上凹部２７及び下凹部２９よりも上流には、孔３３が左右方向に貫通されており、これらの少なくとも一方（本実施形態では左方）には、軟質の樹脂材料によって形成された上流シム３４が装着されている。上流シム３４には、軸受孔３５が左右方向に貫通されている。
【００３９】
＜下流フィン＞
図２及び図７に示すように、複数の下流フィンは、下流リテーナ１４内において、左右方向へ互いに離間した状態で配置されている。この箇所は、通風路１６における吹出口２０の上流近傍である。また、複数の下流フィンの配置方向（左右方向）は、上記空調用空気Ａ１の流れ方向に対し交差する方向である。
【００４０】
ここで、複数の下流フィンを区別するために、左右方向における中央部付近に位置するものを「下流フィン３６」といい、それ以外のものを「下流フィン３７」という。
図３及び図７に示すように、下流フィン３６，３７は、共通する構成として、板状の下流フィン本体３８と、一対の下流フィン軸３９と、下流連結ピン４１とを備えている。各下流フィン本体３８は、空調用空気Ａ１の流れ方向及び上下方向に延びる板状をなしている。下流フィン３６，３７毎の一対の下流フィン軸３９は、下流フィン本体３８の上下両端部に設けられて、上下方向に延びており、上記下流シム３１の対応する軸受孔３２に係合されている。これらの係合により、各下流フィン３６，３７は、上下の両下流フィン軸３９において下流シム３１を介して上壁部２４及び底壁部２５に支持されており、両下流フィン軸３９を支点として左右方向へ傾動可能である。
【００４１】
図２及び図３に示すように、下流連結ピン４１は、各下流フィン本体３８の上端部であって、上側の下流フィン軸３９から上流へ偏倚した箇所に設けられて、上方へ延びている。下流フィン３６，３７毎の下流連結ピン４１は、略左右方向へ延びる連結ロッド４２（図９（ａ）参照）によって相互に連結されている。下流フィン３６，３７毎の下流連結ピン４１と連結ロッド４２とにより、下流フィン３６，３７を機械的に連結し、下流フィン３７を下流フィン３６と同じ傾向の傾きとなるように同下流フィン３６に同期した状態で傾動させるリンク機構４３が構成されている。
【００４２】
図３及び図８に示すように、下流フィン３６は、下流フィン３７とは異なる構成として、一対の下流レール部４４、一対の上流レール部４５、一対の中間軸４６及びガイド孔４７を備えている。一対の下流レール部４４は、下流フィン本体３８の下流端部の左右両側において、上下方向へ延びている。一対の上流レール部４５は、下流フィン本体３８の上流端部の左右両側において、上下方向へ延びている。一対の中間軸４６は、下流レール部４４と上流レール部４５との間において、下流フィン本体３８から左右両側へ突出している。両中間軸４６は、上下方向については、両下流フィン軸３９の中間部に位置している。ガイド孔４７は、下流フィン本体３８の両下流レール部４４の上流近傍において、上下方向に延びる長孔によって構成されている。
【００４３】
＜バレルフィン５０＞
図３及び図９（ａ）に示すように、バレルフィン５０は、上流リテーナ１１内であって、下流フィン３６，３７の上流近傍に配置されている。バレルフィン５０は、上下方向へ互いに離間した状態で、それぞれ左右方向に延びる複数（３つ）の板状の上流フィンを備えている。複数の上流フィンの配置方向（上下方向）は、上記流れ方向と、下流フィン３６，３７の配置方向（左右方向）とに対し交差する方向である。
【００４４】
ここで、複数の上流フィンを区別するために、上下方向における中央部に位置するものを「上流フィン５１」といい、それ以外のものを「上流フィン５２」という。複数の上流フィン５１，５２の左端部同士は、上記流れ方向及び上下方向に延びる左側の側板部５３によって連結されている。同様に、複数の上流フィン５１，５２の右端部同士は、上記流れ方向及び上下方向に延びる右側の側板部５３によって連結されている。
【００４５】
上下方向に隣り合う上流フィン５１，５２同士は、上記流れ方向及び上下方向に延びる連結板部５４によって連結されている（図６参照）。連結板部５４は、両側板部５３間であって、左右方向に互いに離間した複数箇所（２箇所）に形成されている。これらの連結板部５４は、バレルフィン５０の剛性を高め、左右方向に細長い各上流フィン５１，５２が上下方向へ撓むのを抑制している。
【００４６】
図３及び図６に示すように、各側板部５３には、対向する側板部５３から遠ざかる側へ突出する上流フィン軸５５が設けられている。左側の上流フィン軸５５は、上流シム３４の軸受孔３５に係合されている。右側の上流フィン軸５５は、上流リテーナ１１の右側の側壁部２３における孔３３に係合されている。これらの係合により、バレルフィン５０は、左右の両上流フィン軸５５においてリテーナ１０の両側壁部２３に支持されており、両上流フィン軸５５を支点として上下方向へ傾動可能である。
【００４７】
＜操作ノブ６０＞
図６に示すように、操作ノブ６０は、吹出口２０からの空調用空気Ａ１の吹き出し方向を変更する際に乗員によって操作される部材である。操作ノブ６０は、吹出口２０において、下流フィン３６に対し、上下方向へ操作可能に装着されている。図３及び図８に示すように、操作ノブ６０は、ノブ本体部６１と、ノブ本体部６１に組付けられた一対の伝達部６６とを備えている。
【００４８】
ノブ本体部６１は、円錐台状をなす摘み部６２と、互いに左右方向へ離間した状態で摘み部６２から上流側へ突出する一対の腕部６３とを備えている。摘み部６２は、その上流側の端面において開口して下流側へ凹む収容凹部６４を有している。収容凹部６４は、両腕部６３によって挟まれた空間に繋がっている。各腕部６３は、対向する腕部６３側の面の上流端部に、係止凹部６５を有している。
【００４９】
一対の伝達部６６は、左右方向に隣り合った状態で配置されている。両伝達部６６の下流部は、互いに左右方向に重ねられた状態で収容凹部６４内に収容され、上流部は両腕部６３によって左右両側から挟み込まれている。各伝達部６６は、対向する伝達部６６側の面において開口して上下方向に延びる溝部６７を有している。各伝達部６６は、溝部６７において対応する下流レール部４４に対し、上下方向へスライド可能に係合されている。
【００５０】
各伝達部６６の対向する伝達部６６側の面であって、上記溝部６７の上流近傍には、対向する伝達部６６へ向けてピン６８が突出している。上記のように、各伝達部６６が溝部６７において下流レール部４４に係合された状態では、ピン６８がガイド孔４７に上下動可能に係入されている。これらのピン６８及びガイド孔４７は、操作ノブ６０の上下方向の可動領域を規定している。すなわち、操作ノブ６０の上方への操作に伴い上方へ移動する両ピン６８がガイド孔４７の上端の内壁面に接触すると、両ピン６８を通じ、それよりも上方への操作ノブ６０の動きが規制される。これとは逆に、操作ノブ６０の下方への操作に伴い下方へ移動する両ピン６８がガイド孔４７の下端の内壁面に接触すると、両ピン６８を通じ、それよりも下方への操作ノブ６０の動きが規制される。
【００５１】
また、各伝達部６６の対向する伝達部６６とは反対側の面の上流部には、係止突起６９が形成されている。上記のように、各伝達部６６が溝部６７において下流レール部４４に係合された状態では、係止突起６９が腕部６３の対応する係止凹部６５に係止されている。各係止突起６９の係止凹部６５に対する係止により、各伝達部６６のノブ本体部６１からの抜け落ちが規制されている。
【００５２】
各伝達部６６は、溝部６７よりも下流側に一対の規制突部７１を有している。両規制突部７１は、各伝達部６６の対向する伝達部６６側の面の上部及び下部に形成されている。そして、左右の両伝達部６６間であって、上側の両規制突部７１と下側の両規制突部７１との間であり、かつ左右の両溝部６７よりも下流には、シム７２が配置されている。シム７２は軟質の樹脂材料によって形成されており、自身の上流側の端面において、下流フィン本体３８の下流端面と、その左右両側の下流レール部４４とに対し、弾性的に接触している。この形態の接触により、操作ノブ６０が上下方向へ操作されたときに、シム７２と、下流フィン本体３８及び両下流レール部４４との間に摺動抵抗が発生し、適度な荷重が付与される。
【００５３】
＜伝達機構ＤＭ＞
図３、図８及び図９（ａ）に示すように、伝達機構ＤＭは、操作ノブ６０と上流フィン５１との間に設けられている。伝達機構ＤＭが担う主要な役割は、上下方向のうち、操作ノブ６０の操作方向とは反対傾向の方向へバレルフィン５０が傾動するように、同操作ノブ６０の動きを上流フィン５１に伝達することである。操作ノブ６０の操作方向が上方である場合の反対傾向の方向は、下方である。上記操作方向が下方である場合の反対傾向の方向は、上方である。
【００５４】
伝達機構ＤＭは、一対の駆動ギヤ７５と、従動ギヤ７７と、各駆動ギヤ７５及び従動ギヤ７７の間に介在されて力を伝達する複数の中間ギヤとを備えて構成されている。
各駆動ギヤ７５は、操作ノブ６０における各伝達部６６の上流端部に形成されている。各駆動ギヤ７５は、上下方向に沿って一定間隔毎に配列された複数の歯７６を有している。
【００５５】
従動ギヤ７７は、上流フィン５１の下流部に形成されている。従動ギヤ７７は、上流フィン軸５５を中心とする円弧に沿って等角度毎に配列され、かつそれぞれが左右方向へ延びる複数の歯７８を有している。
【００５６】
複数の中間ギヤは、１つの上流中間ギヤ８１と、一対の下流中間ギヤ８７とを備えて構成されている。これらの上流中間ギヤ８１及び両下流中間ギヤ８７は、いずれも下流フィン３６に装着されている。
【００５７】
上流中間ギヤ８１は、１つの上流ギヤ部８２と、一対の下流ギヤ部８４とを備えている。上流ギヤ部８２は、上流中間ギヤ８１の上流部に位置しており、複数の歯８３を有している。これらの歯８３は、上下方向には一定間隔毎に配列されている。各歯８３は、下流フィン３６の下流フィン軸３９を中心とする円弧に沿って延びることで、上流側へ膨らむように湾曲している。
【００５８】
各下流ギヤ部８４は、上記上流ギヤ部８２の左右方向における中央部分から、左右方向に互いに離間した状態で下流側へ突出している。各下流ギヤ部８４は、上下方向に沿って一定間隔毎に配列された複数の歯８５を有している。
【００５９】
上流ギヤ部８２と両下流ギヤ部８４との境界部分には、上下方向に延びる溝部８６が形成されている。上流中間ギヤ８１は、この溝部８６において、左右の両上流レール部４５に対し上下方向へスライド可能に係合されている。
【００６０】
各下流中間ギヤ８７は、下流フィン３６における下流フィン本体３８の左右両側に配置され、対応する中間軸４６に係合されており、同中間軸４６を支点として回動可能である。各下流中間ギヤ８７は、上流ギヤ部８８と、その上流ギヤ部８８よりも下流側に位置する下流ギヤ部８９とを備えている。下流中間ギヤ８７毎の上流ギヤ部８８及び下流ギヤ部８９は、いずれも中間軸４６を中心とする円弧に沿って配列された複数の歯９１を有している。そして、各下流中間ギヤ８７は、上流ギヤ部８８において、上流中間ギヤ８１の対応する下流ギヤ部８４に噛合されている。また、各下流中間ギヤ８７は、各下流ギヤ部８９において、対応する伝達部６６の駆動ギヤ７５に噛合されている。
【００６１】
次に、上記のように構成された本実施形態の空調用薄型レジスタの作用及び効果について説明する。
図１、図４〜図８及び図９（ａ）は、操作ノブ６０が、上下方向の可動領域の中央部であり、かつ左右方向の可動領域の中央部に位置するときの、空調用薄型レジスタの各部の状態を示している。このときの操作ノブ６０の状態を「中立状態」という。
【００６２】
伝達機構ＤＭでは、ピン６８（図３参照）がガイド孔４７の上下方向における中央部に位置している。各伝達部６６の溝部６７は、対応する下流レール部４４に対し、上下方向の中央部で係合している（図９（ａ）参照）。各駆動ギヤ７５は、多くの歯７６において、下流ギヤ部８９の歯９１に噛合している。各下流中間ギヤ８７の上流ギヤ部８８は、その多くの歯９１において、上流中間ギヤ８１の対応する下流ギヤ部８４における略全体の歯８５に噛合している。上流中間ギヤ８１の溝部８６は、上流レール部４５に対し、上下方向の中央部で係合している。上流中間ギヤ８１の上流ギヤ部８２は、その略全体の歯８３において、従動ギヤ７７における多くの歯７８に噛合している。上流ギヤ部８２は、左右方向の中央部分において従動ギヤ７７に噛合している（図６参照）。
【００６３】
図６及び図９（ａ）に示すように、バレルフィン５０における各上流フィン５１，５２は、通風路１６に導入される前の空調用空気Ａ１の流れ方向に沿う姿勢にされている。各上流フィン５１，５２は、リテーナ１０の上壁部２４及び底壁部２５に対し略平行となっている。
【００６４】
また、下流フィン３６は、通風路１６に導入される前の空調用空気Ａ１の流れ方向に沿う姿勢にされている。下流フィン３６は、リテーナ１０の両側壁部２３に対し略平行となっている。連結ロッド４２を介して下流フィン３６に連結された他の下流フィン３７についても同様である。
【００６５】
そのため、リテーナ１０に流入した空調用空気Ａ１は、バレルフィン５０及び下流フィン３６，３７を順に通過する。バレルフィン５０では、空調用空気Ａ１の多くは、隣り合う上流フィン５１，５２間を、それらの上流フィン５１，５２に沿って流れる。
【００６６】
バレルフィン５０を通過した空調用空気Ａ１の一部は、隣り合う下流フィン３６，３７間と、隣り合う下流フィン３７間とを、それらの下流フィン３６，３７に沿って流れる。バレルフィン５０を通過した空調用空気Ａ１の他の一部は、左右方向における両端の下流フィン３７とリテーナ１０の隣接する側壁部２３との間を、それらの下流フィン３７及び側壁部２３に沿って流れる。
【００６７】
その結果、空調用空気Ａ１は、左右方向にも上下方向にも流れ方向をほとんど変えられることなく、吹出口２０から下流側へ真っ直ぐ吹き出される。
上記中立状態の操作ノブ６０に対し、これを上方へ移動させるための操作として、上方へ向かう力が加えられると、図９（ｂ）に示すように、その力は、両伝達部６６に伝達される。伝達部６６毎の駆動ギヤ７５が、下流レール部４４に沿って、ノブ本体部６１と一緒になって上方へスライドする。伝達部６６毎の駆動ギヤ７５と、下流中間ギヤ８７毎の下流ギヤ部８９との噛み合い位置が変化し、各下流中間ギヤ８７が中間軸４６を支点として図９（ｂ）の反時計回り方向へ回動する。この回動に伴い、上流ギヤ部８８が中間軸４６の周りを下方へ向けて旋回する。上流ギヤ部８８と上流中間ギヤ８１の下流ギヤ部８４との噛み合い位置が変化し、同上流中間ギヤ８１が上流レール部４５に沿って下方へスライドする。このスライドの方向は、操作ノブ６０の操作方向（上方）に対し、反対の方向である。上流中間ギヤ８１の上記スライドに伴い、上流ギヤ部８２と従動ギヤ７７との噛み合い位置が変化し、バレルフィン５０が一対の上流フィン軸５５を支点として、図９（ｂ）の時計回り方向へ傾動する。このバレルフィン５０の傾動の方向（下方）は、上下方向のうち、操作ノブ６０の操作方向（上方）とは反対傾向の方向である。バレルフィン５０の傾動に伴い、複数の上流フィン５１，５２の傾きが同期した状態で変化し、各上流フィン５１，５２が下流側ほど低くなるように傾斜する。
【００６８】
上記のように傾斜した上流フィン５１，５２に沿う方向の下流には、底壁部２５と下側の傾斜面２８とが位置する。空調用空気Ａ１はバレルフィン５０を通過する際に、上流フィン５１，５２に沿って流れ、底壁部２５に当たることで、上記上流フィン５１，５２に沿う方向とは反対傾向の方向である、下流側ほど高くなる方向へ、流れ方向を変える。この空調用空気Ａ１は、下側の傾斜面２８に沿って流れ、吹出口２０から斜め上方へ吹き出される。この吹き出し方向は、吹出口２０の短辺部２１に沿う方向である上下方向のうち、操作ノブ６０を操作した方向（上方）と同一傾向の方向である。
【００６９】
これに対し、図９（ａ）の上記中立状態の操作ノブ６０に対し、これを下方へ移動させるための操作として、下方へ向かう力が加えられると、空調用薄型レジスタの各部は、図９（ｃ）に示すように、上記上方へ向かう力が加えられた場合（図９（ｂ）参照）とは逆の動作を行う。
【００７０】
すなわち、伝達部６６毎の駆動ギヤ７５が、下流レール部４４に沿って、ノブ本体部６１と一緒になって下方へスライドする。各下流中間ギヤ８７が中間軸４６を支点として図９（ｃ）の時計回り方向へ回動し、上流ギヤ部８８が中間軸４６の周りを上方へ向けて旋回する。上流中間ギヤ８１が上流レール部４５に沿って上方へスライドし、バレルフィン５０が一対の上流フィン軸５５を支点として、図９（ｃ）の反時計回り方向へ傾動する。バレルフィン５０の傾動に伴い、複数の上流フィン５１，５２の傾きが同期した状態で変化し、各上流フィン５１，５２が下流側ほど高くなるように傾斜する。
【００７１】
空調用空気Ａ１はバレルフィン５０を通過する際に、上流フィン５１，５２に沿って流れ、上壁部２４に当たることで、上記上流フィン５１，５２に沿う方向とは反対傾向の方向である、下流側ほど低くなる方向へ、流れ方向を変える。この空調用空気Ａ１は、上側の傾斜面２６に沿って流れ、吹出口２０から斜め下方へ吹き出される。空調用空気Ａ１の吹き出し方向は、吹出口２０の短辺部２１に沿う方向である上下方向のうち、操作ノブ６０を操作した方向（下方）と同一傾向の方向である。
【００７２】
このように、中立状態の操作ノブ６０を上方へ操作した場合には、吹出口２０から空調用空気Ａ１を斜め上方へ吹き出させ、同操作ノブ６０を下方へ操作した場合には、吹出口２０から空調用空気Ａ１を斜め下方へ吹き出させることができる。そのため、操作ノブ６０の操作方向と空調用空気Ａ１の吹き出し方向とが異なる場合には、操作ノブ６０を操作した乗員に違和感を与えるが、本実施形態ではそういった違和感を与えることが少なく、空調用薄型レジスタの使用感を向上させることができる。
【００７３】
これに対し、図６及び図８に示す中立状態の操作ノブ６０に対し、吹出口２０の長辺部２２に沿う方向である左右方向のうち、例えば右方へ向かう力が加えられると、下流フィン３６が、左右の両下流中間ギヤ８７及び上流中間ギヤ８１を伴って、上下の両下流フィン軸３９を支点として図６の反時計回り方向へ傾動させられる。下流フィン３６の上記傾動は、リンク機構４３により他の下流フィン３７に伝達される。図１０に示すように、各下流フィン３７が上下の両下流フィン軸３９を支点として、下流フィン３６と同方向へ傾動させられる。そのため、バレルフィン５０を通過した空調用空気Ａ１は、各下流フィン３６，３７に沿って流れることで、吹出口２０から、操作ノブ６０の操作方向と同一傾向の方向である斜め右方へ吹き出す。
【００７４】
なお、このときには、上流中間ギヤ８１の上流ギヤ部８２における複数の歯８３のうち、従動ギヤ７７における歯７８に噛み合ったものは、その従動ギヤ７７の歯７８に対し、下流フィン軸３９を中心とする円弧に沿う方向へ摺動する。上流中間ギヤ８１の歯８３と、従動ギヤ７７の歯７８との左右方向の噛み合い位置が変化する。そのため、操作ノブ６０の操作に伴う下流フィン３６の傾動は、上流フィン５１、ひいてはバレルフィン５０には伝達されない。操作ノブ６０の左右方向への操作に拘わらず、バレルフィン５０の傾きは変化しない。
【００７５】
本実施形態によると、上記以外にも、次の効果が得られる。
・図３及び図８に示すように、中間軸４６と、その中間軸４６により支持される下流中間ギヤ８７との組み合わせが一対用いられ、しかも、その組み合わせが、下流フィン３６における下流フィン本体３８の左右両側に配置されている。そのため、下流中間ギヤ８７及び中間軸４６の組み合わせが１つのみの場合に比べ、駆動ギヤ７５から上流中間ギヤ８１への動力伝達を安定して行うことができる。
【００７６】
・上流中間ギヤ８１及び両下流中間ギヤ８７を、空調用薄型レジスタの既存の構成部品である下流フィン３６の下流フィン本体３８に装着している。そのため、上流中間ギヤ８１及び両下流中間ギヤ８７の装着される箇所を設定するために、新規に部品を追加しなくてもすみ、部品点数の増加を抑制することができる。
【００７７】
なお、上記実施形態は、これを以下のように変更した変形例として実施することもできる。
＜リテーナ１０について＞
・吹出口２０では、両短辺部２１と両長辺部２２とが必ずしも直交していなくてもよく、同吹出口２０が長方形状となることを条件に、多少斜めに交差してもよい。
【００７８】
・図９（ａ）における傾斜面２６，２８は、下流側ほど間隔が狭くなって両長辺部２２に繋がることを条件に、上記平面に代えて、下流側へ凹む湾曲面、又は上流側へ膨らむ湾曲面によって構成されてもよい。
【００７９】
＜バレルフィン５０について＞
・図３のバレルフィン５０における３つの上流フィン５１，５２は、互いに独立した状態で形成されてもよい。この場合、上流フィン軸５５は、各上流フィン５１，５２の左右方向における両端部に設けられる。そして、各上流フィン５１，５２は、左右の両上流フィン軸５５により、リテーナ１０の側壁部２３に傾動可能に支持される。
【００８０】
また、下流フィン３６，３７の下流連結ピン４１と同様に、上流フィン５１，５２において、上流フィン軸５５から空調用空気Ａ１の流れ方向に偏位した箇所に上流連結ピンが設けられる。上流フィン５１，５２毎の上流連結ピンが、上下方向へ延びる連結ロッドによって相互に連結される。そして、上流フィン５１，５２毎の上流連結ピンと連結ロッドとにより、上流フィン５１，５２を機械的に連結し、上流フィン５２を、従動ギヤ７７を有する上流フィン５１と同じ傾向の傾きとなるように同上流フィン５１に同期した状態で傾動させるリンク機構が構成される。
【００８１】
・上流フィン５１，５２の充分な剛性が得られる場合には、連結板部５４の数が減少されてもよいし、場合によっては割愛されてもよい。その逆に、さらなる剛性アップのために連結板部５４の数が増加されてもよい。
【００８２】
・バレルフィン５０における上流フィン５２の数が変更されてもよい。
＜操作ノブ６０について＞
・操作ノブ６０が吹出口２０の外部に配置されてもよい。この場合、伝達機構ＤＭの構成部品の少なくとも一部は、通風路１６の外部に配置される。
【００８３】
・摘み部６２として、円錐台状とは異なる形状を有するものが用いられてもよい。
＜伝達機構ＤＭについて＞
・伝達機構ＤＭに用いられる、下流中間ギヤ８７及び中間軸４６の組み合わせの数が、「２」から「１」に変更されてもよい。
【００８４】
・１つの中間軸４６が下流フィン３６の下流フィン本体３８に対し回動可能に挿通され、同下流フィン本体３８の左右両側に配置された一対の下流中間ギヤ８７が、下流フィン本体３８から露出する中間軸４６の左右両端部に一体回動可能に取付けられてもよい。
【００８５】
＜適用箇所について＞
・上記空調用薄型レジスタは、車室内においてインストルメントパネルとは異なる箇所に組付けられる空調用薄型レジスタにも適用可能である。
【００８６】
・上記空調用薄型レジスタは、空調装置から送られてきて室内に吹き出す空調用空気の向きを調整することのできるものであれば、車両に限らず広く適用可能である。
＜その他＞
・上記空調用薄型レジスタは、吹出口２０が縦長の長方形状となるように配置されるタイプの空調用薄型レジスタにも適用可能である。この場合、下流フィン３６，３７として、それぞれ、左右方向及び空調用空気Ａ１の流れ方向へ延びるものが用いられ、これらが上下方向に配置される。上流フィン５１，５２としては、それぞれ上下方向及び上記流れ方向へ延びるものが用いられ、これらが互いに左右方向に離間した状態で配置される。
【符号の説明】
【００８７】
１０…リテーナ、１６…通風路、２０…吹出口、２１…短辺部、２２…長辺部、２６，２８…傾斜面、３６，３７…下流フィン、３９…下流フィン軸、４４…下流レール部、４５…上流レール部、４６…中間軸、５０…バレルフィン、５１，５２…上流フィン、５３…側板部、５５…上流フィン軸、６０…操作ノブ、６７，８６…溝部、７５…駆動ギヤ、７６，７８，８３，８５，９１…歯、７７…従動ギヤ、８１…上流中間ギヤ、８７…下流中間ギヤ、Ａ１…空調用空気、ＤＭ…伝達機構。
【図１】
2019038407.tif 000003
【図２】
2019038407.tif 000004
【図３】
2019038407.tif 000005
【図４】
2019038407.tif 000006
【図５】
2019038407.tif 000007
【図６】
2019038407.tif 000008
【図７】
2019038407.tif 000009
【図８】
2019038407.tif 000010
【図９】
2019038407.tif 000011
【図１０】
2019038407.tif 000012